(57)【要約】【課題】  靴を履かない静置条件において、靴の上部の開口状態と後部の形や硬さを保持し続けて、常に人が履き易くする状況をつくり、靴を履く力に素早く対応して円滑性を高めた後に、靴を履き終わった後の足首の固定を自然に行うと同時に、歩行時に違和感無く足の筋肉運動に連動して作用する機能器具を付帯する、履き心地を良くした靴ベラ不要靴を提供する。【解決手段】  逆Ｕ字状棒体であって、逆Ｕ字部が踵部滑り部と爪付支え部位を設けた２本の支柱とからなる靴ベラ機能付与器具を靴の後部に内包させた靴ベラ不要靴である。【選択図】図１
2013146514.tif 000002
【特許請求の範囲】
【請求項１】
逆Ｕ字状棒体であって、逆Ｕ字上部に傾斜を有する踵部滑り部と、それぞれの先端に爪付支え部位を設けた湾曲した２本の支柱とからなる事を特徴とする靴ベラ機能付与器具。
【請求項２】
靴の踵部内に内包する逆Ｕ字状棒体であって、逆Ｕ字上部が靴の後方向へ少なくとも３度以上の傾斜を有する踵部滑り部と靴の後方向が凸の湾曲状であり先端に爪付支え機能を設けた２本の支柱とからなる事を特徴とする靴ベラ機能付与器具。
【発明の詳細な説明】
【技術分野】
【０００１】  本発明は、靴を履くときに靴ベラを使用せずに円滑に足首を入れる事を可能にする機能器具に関する。
【背景技術】
【０００２】  革製の紳士靴や婦人靴、仕事用の安全靴や布、ゴム製のカジュアル靴、そして、子供から大人まで広く使われる運動靴等で靴ベラを必要とするのは、靴の踵部を押さえつつ、滑りを利用して足を簡単に靴の中に入れる事の利便性に加え、靴の上部の開口状態や後部の形や硬さを保持するという点で、長期に亘って靴の品質を守る手段にもなるからである。【０００３】  そのために、靴ベラの使用は、靴を短時間で履く工夫として後部にユマミを付けた靴においても、靴を大事に扱いつつ、より円滑に靴を履く重宝な道具として、平行して行われてきた。【０００４】  しかしながら、人が靴ベラを用いて靴を履く際には、体を屈めたり、あるいは、座ったりする動作を伴うので、厄介であり、急ぐ時などは靴ベラを使用せずに無理に足を入れて履いたり、また、後部を足の踵で押し潰したまま、足の先だけを入れて歩行し、それによって、靴の品質を劣化させている事例も結果的には多く見られている。【０００５】  そのような背景から、近年、立った姿勢のまま、靴ベラを使わずに円滑に足を入れることができ、しかも、靴を型崩れさせない技術的方法を靴そのものに求める傾向が強まり、靴の後部に応用性に富む性質をもつ器具を取り付けることによって、靴ベラ不要靴を開発しようとする試みが種々されてきた。【０００６】  公知の技術としては、例えば、靴の後部に補強材を入れて、一層硬いものにし、靴を履く際に足の踵の圧力で靴の後部情報の開口状態が変化して、足が入れ難くなるものを改良する物（特許文献１）や、足を入れ易くするために靴の後部に反りを持たせた硬板を取り付けた物（特許文献２）、また、足を入れ易くするメカニズムとして、靴の後部に取り付ける硬い支柱板の一部を屈折可能な回転板とする物（特許文献３）、本発明同様の逆Ｕ字状棒体の靴ベラ機能付与器具（特許文献４）などがある。
【先行技術文献】
【特許文献】
【０００７】
【特許文献１】  特開２００４−３２９７９７号広報
【特許文献２】  特開２００４−３４４３９６号広報
【特許文献３】  特開２００３−７０５０２号広報
【特許文献４】  特開２０１２−４１９（Ｐ２０１２−４１９Ａ）
【発明の開示】
【発明が解決しようとする課題】
【０００８】  従来の靴ベラ不要開発の技術思想は、靴を履く時の円滑性だけを重要視して、取り付ける器具の形の研究、発明に終始しており、靴を履いた後の歩行時における人の足首後部の筋肉運動と器具との連動性や接触違和感まで考慮に入れた物は無い。【０００９】  特許文献４は本発明の発明者及び出願人が含まれるものであるが、特許文献４には支柱先端に爪付支え部位がないために、支柱が靴底に刺さってしまい長時間使用すると靴底を貫通してしまう状態になることが考えられる、また、特許文献４は靴の外側に取り付ける靴ベラ機能付与器具だったが、外側に取り付けるものでは、接触違和感が残ってしまっていた。【００１０】  それにより、これまでに公表された硬板を利用する固定支柱からなる靴ベラ機能付与器具を取り付けた靴は、器具を取り付けていない一般に使用している靴に比べて皮膚感覚的に不自然さがあって満足できず、さらに、人間工学の面から追求した、より理想的な新規な靴ベラ機能付与器具の出現が強く望まれていた。
【課題を解決するための手段】
【００１１】  本発明者は、上記課題を解決し、かつ、さらに、進んで靴を履く際にも靴事態が連動して靴ベラを使っているという感覚までも無くする状態で、自然に、円滑に人が立ったまま操作できる方法を探索するべく鋭意研究したところ、逆Ｕ字状棒体に踵部滑り部及び爪付支え部位を設けることによって靴ベラ機能を付与することを見出し本発明の靴ベラ機能付与器具を提供することが出来た。【００１２】  即ち本発明の第一は、逆Ｕ字状棒体であって、逆Ｕ字上部に傾斜を有する踵部滑り部と、それぞれの先端に爪付支え部位を設けた湾曲した２本の支柱とからなる事を特徴とする靴ベラ機能付与器具である。【００１３】  本発明の第二は、靴の踵部内に内包する逆Ｕ字状棒体であって、逆Ｕ字上部が靴の後方向へ少なくとも３度以上の傾斜を有する踵部滑り部と靴の後方向が凸の湾曲状であり先端に爪付支え機能を設けた２本の支柱とからなる事を特徴とする靴ベラ機能付与器具である。【００１４】  本発明によれば、逆Ｕ字状棒体を人の足首の踝骨を被う皮膚と接触しない形状のまま、靴の開口部分後部の構成素材と密着するように加工した、外圧に対して正確に、かつ、素早く反発弾性を示し得る靴ベラ機能付与器具ができたことにより、靴を履かない静置条件では、靴の上部の開口状態と後部の形や硬さを保持し続けて、常に、人が靴を履き易くする状況を提供する。【００１５】  また、長時間使用しても靴ベラ機能付与器具が正常に靴に付与されている状態を簡易に保つため爪付支え部位を設け安定使用も追及した。【００１６】  次に、人が靴の開口部分に足を入れる際には、その重力に自然に対応しつつ、挿入を助け、かつ、挿入後は、靴の上部の開口状態や内部の形を復元して、足首全体の靴のフィット性を維持する。【００１７】  そして、歩行時には、皮膚感覚的に異物と接触する違和感を人に与えず、反対に、足首の筋肉運動に連動して、動的にフィット感を与え続けるという利便性と快適感を同時に満たす有用性の高い履き心地の優れた靴ベラ不要靴を導く。
【図面の簡単な説明】
【００１８】
【図１】本発明の靴ベラ機能付与器具の着用した状態の立面図
【図２】本発明の靴ベラ機能付与器具の着用した状態の側面図
【図３】本発明の靴ベラ機能付与器具の立面図
【図４】本発明の靴ベラ機能付与器具の着用した状態の上方平面図
【図５】本発明の靴ベラ機能付与器具の平面図
【発明を実施するための形態】
【００１９】  本発明の実施の形態を実施例に基づき、図面を参照にして説明する。
【実施例１】
【００２０】  ピアノ線で図３及び図５の形状の逆Ｕ字状棒体（１）を形成する。
逆Ｕ字状を形成した逆Ｕ字状棒体（１）の支柱右（４）支柱左（５）を靴の踵（９）の曲面形状に合わせて湾曲した形状である（図１）（図２）。【００２１】  また、逆Ｕ字状棒体（１）上部を後方に少なくとも３度以上の傾斜になるように曲げ踵部滑り部（７）を形成する。踵部滑り部（７）は踵に足をいれる際、円滑に足を挿入することを可能にするように傾斜が設けられている。また、踵部滑り部が樹脂体で被覆されている場合もある。【００２２】  また、逆Ｕ字状棒体（１）の２本の支柱先端右（２）支柱先端左（３）をそれぞれ靴の前方へ約９０度折り曲げ段差をつけることにより支え機能を設け、さらにその先端を下方向へ湾曲に２ｍｍほど曲げて爪を構成した。【００２３】  段差を構成した支え機能は、支柱が靴底に突き刺さるのを防ぐことが出来るとともに踵がつぶれるのを防ぐことが可能になる。爪は、段差を構成した支え機能が靴底を滑らないように、引っかかりの役目を果たす。【００２４】  逆Ｕ字状棒体（１）を靴（８）の踵（９）部内部に内包する形で付与する【００２５】  本実施例では、逆Ｕ字状棒体（１）を丸棒状態のピアノ線を使用しているが板状の棒体でもよい。【００２６】また、ピアノ線を使用しているが十分硬質な素材であればよい。
【産業上の利用可能性】
【００２７】  本発明の靴ベラ機能付与器具は、既成靴に対して、短時間に簡単に固定させる操作を行うだけで、その後は既存の靴ベラを使う必要が無くなり、しかも、靴を履いている間中、快適感がもたらされるので、靴使用者の利便性の大きい後片付け物としての判断を持てば、市場に商品として出す事ができ、製造担当業者も販売業者も、ともに新しいアイテムを得る事になる。しかも、本発明の必要条件である棒状体を踵部に付与することによって簡易に製造が可能となっている。【００２８】  そして、靴の製造業者が、本発明の靴ベラ機能付与器具を内在させた靴ベラ不要靴を製造し、固有のメカニズムに基づく新商品として市場に出した時に、既成靴の使用者の多くがその利便性と有益性を認めて、男女を問わず、年少者から高齢の人まで、普段の生活から職場靴及び運動靴等にまで、本発明の靴ベラ機能を付与して欲しいという要望が生まれれば、靴業界に対しても好ましい進歩要素を提供することが出来る。
【符号の説明】
【００２９】１・・・逆Ｕ字状棒体
２・・・支柱先端右
３・・・支柱先端左
４・・・支柱右
５・・・支柱左
６・・・樹脂体で被覆されている
７・・・踵部滑り部
８・・・靴
９・・・踵
【図１】
2013146514.tif 000003
【図２】
2013146514.tif 000004
【図３】
2013146514.tif 000005
【図４】
2013146514.tif 000006
【図５】
2013146514.tif 000007